(57)【要約】【課題】明暗のコントラストを低減し、照度むらの少ない照明器具を提供する。【解決手段】複数のＬＥＤパッケージ１２２と、ＬＥＤパッケージ１２２が実装される実装基板１２１と、ＬＥＤパッケージ１２２毎に組み合わせられる反射板１４と、ＬＥＤパッケージ１２２と実装基板１２１と反射板１４とを収容する筐体と、筐体１１の光出射側に設けられ、筐体１１から離れるにつれて内径が増加するコーン部と、を有し、複数のＬＥＤパッケージは、実装基板の略中央に配置される中央部ＬＥＤパッケージと、実装基板の周辺に配置される周辺部ＬＥＤパッケージとに区分けされており、周辺部ＬＥＤパッケージと組み合わせられる反射板は、開口縁の形状が、実装基板の中心部に近い側１４ｃではＬＥＤパッケージに近く、実装基板の中心部に遠い側１４ｓではＬＥＤパッケージに遠くなるように形成されている。【選択図】図２
2011171236.tif 000002
【特許請求の範囲】
【請求項１】
複数のＬＥＤパッケージと、
前記ＬＥＤパッケージが実装される実装基板と、
前記ＬＥＤパッケージ毎に配設される反射部とを具備した照明器具であって、
前記反射部は最外周部において、外側に広がる形状をなす照明器具。
【請求項２】
請求項１に記載の照明器具であって、
前記最外周部の反射部の外側に前記反射部から離れるにつれて拡がる拡がり部とを有し、
前記最外周部の反射部は、前記最外周部のＬＥＤパッケージの中心と、前記反射部の開口縁を結ぶ線分が前記拡がり部と交差しないように形成された照明器具。
【請求項３】
複数のＬＥＤパッケージと、
前記ＬＥＤパッケージが実装される実装基板と、
前記ＬＥＤパッケージ毎に組み合わせられる反射板と、
前記ＬＥＤパッケージと実装基板と反射板とを収容する筐体と、
前記筐体の光出射側に設けられ、前記筐体から離れるにつれて内径が増加するコーン部と、を有する照明器具であって
前記複数のＬＥＤパッケージは、前記実装基板の略中央に配置される中央部ＬＥＤパッケージと、
前記実装基板の周辺に配置される周辺部ＬＥＤパッケージとに区分けされており、
前記周辺部ＬＥＤパッケージと組み合わせられる反射板は、前記開口縁の形状が、前記実装基板の中心部に近い側ではＬＥＤパッケージに近く、前記実装基板の中心部に遠い側では前記ＬＥＤパッケージに遠くなるように形成された照明器具。
【請求項４】
請求項３に記載の照明器具であって、
前記周辺部ＬＥＤパッケージの中心と、組み合わせられた反射板の開口縁を結ぶ線分が前記コーン部と交差しないものである照明器具。
【発明の詳細な説明】
【技術分野】
【０００１】
本発明は、照明器具に係り、特にＬＥＤ(発光ダイオード)素子などの発光素子を光源とし、反射板を有する照明器具に関する。
照明器具に関する。
【背景技術】
【０００２】
白熱電球に代わる照明装置として、光源としてＬＥＤ（発光ダイオード）素子を用いた照明器具が用いられるようになってきている（例えば、特許文献１）。特許文献１のＬＥＤ素子を用いたダウンライトにおいては、反射板などの反射部材を用い、ＬＥＤ素子からの出射光を逆ハート状の配向曲線とすることで、照射面での照度むら及び色むらをなくすようにしている。
【先行技術文献】
【特許文献】
【０００３】
【特許文献１】特開2009-187773号公報
【発明の概要】
【発明が解決しようとする課題】
【０００４】
この照明器具では、反射部材の開口縁の形状がすべて円であるものが開示されているが、この場合、周辺部では反射板の開口縁の間隔が広がりすぎて、コーン部や拡がり部（など、枠部）を設けたときに明暗のコントラストが付きやすくなり、むらとなる可能性がある。
【０００５】
本発明は、前記実情に鑑みてなされたもので、明暗のコントラストを低減し、照度むらの少ない照明器具を提供することを目的とする。
【課題を解決するための手段】
【０００６】
上記課題を解決するため、本発明の照明器具は、複数のＬＥＤパッケージと、ＬＥＤパッケージが実装される実装基板と、ＬＥＤパッケージ毎に配設される反射部とを具備し、反射部は最外周部において、外側に広がる形状をなすことを特徴とする。
また本発明は、上記照明器具において、最外周部の反射部の外側に反射部から離れるにつれて拡がる拡がり部とを有し、最外周部の反射部は、最外周部のＬＥＤパッケージの中心と、最外周部の反射部の開口縁を結ぶ線分が拡がり部と交差しないように形成される。
また本発明の照明器具は、複数のＬＥＤパッケージと、ＬＥＤパッケージが実装される実装基板と、ＬＥＤパッケージ毎に組み合わせられる反射板と、ＬＥＤパッケージと実装基板と反射板とを収容する筐体と、筐体の光出射側に設けられ、筐体から離れるにつれて内径が増加するコーン部と、を有し、複数のＬＥＤパッケージは、実装基板の略中央に配置される中央部ＬＥＤパッケージと、実装基板の周辺に配置される周辺部ＬＥＤパッケージとに区分けされており、周辺部ＬＥＤパッケージと組み合わせられる反射板は、開口縁の形状が、実装基板の中心部に近い側ではＬＥＤパッケージに近く、実装基板の中心部に遠い側ではＬＥＤパッケージに遠くなるように形成されている。
また、本発明は、上記照明器具において、周辺部ＬＥＤパッケージの中心と、組み合わせられた反射板の開口縁を結ぶ線分がコーン部と交差しないようにしている。
【発明の効果】
【０００７】
この構成によれば、照明器具直下の照度を確保しつつ、反射部の外側に装着される拡がり部（枠部）のむらを低減することができる。すなわち、周辺部ＬＥＤパッケージと組み合わせられる反射部は、開口縁の形状が、実装基板の中心部に近い側ではＬＥＤパッケージに近く、実装基板の中心部に遠い側ではＬＥＤパッケージに遠くなるように形成されている。従って反射部の開口縁の形状がすべて円であるものに比べ、周辺部では反射部の開口縁の間隔が広がりすぎることがなく、コーン部などの拡がり部を設けたときに明暗のコントラストが付きにくく、むらを低減することができる。
【図面の簡単な説明】
【０００８】
【図１】実施の形態１の照明器具を示す断面図
【図２】実施の形態１の照明器具の斜視図
【図３】実施の形態１の照明器具の要部破断断面図
【図４】実施の形態１の照明器具を示す要部説明斜視図
【図５】実施の形態１の照明器具を示す要部断面図
【図６】実施の形態２の照明器具を示す要部断面説明図
【図７】実施の形態２の照明器具の要部断面図
【発明を実施するための形態】
【０００９】
（実施の形態１）
図１は、本発明の実施の形態１に係るＬＥＤ照明器具の概略構成を示す断面図である。
本実施の形態のＬＥＤ照明器具１は、例えばホテルや高級飲食店などにおいて、天井に埋め込んで取り付けられるダウンライトを構成するものである。図１に示すように本体を構成する筐体１１、ＬＥＤユニット１２、前面パネル１３、反射板１４、及び電源ユニット１５を備えた構成である。ここでＬＥＤユニット１２は実装基板１２１上に４個のＬＥＤパッケージ１２２を実装して形成されている。そして反射板１４はＬＥＤパッケージ１２２のそれぞれに対向する小径開口１４１を有し、小径開口１４１から次第に大きくなるように形成された反射面１４３と、各反射面１４３を連続的に接続する連接面部１４４とを有し、この連接面部１４４に孔部１４５を有している。そしてこのダウンライトは、複数のＬＥＤパッケージ１２２と、ＬＥＤパッケージ１２２が実装される実装基板１２１と、ＬＥＤパッケージ毎に組み合わせられる反射板１４と、ＬＥＤパッケージ１２２と実装基板１２１と反射板１４とを収容する筐体１１と、筐体１１の光出射側に設けられ、筐体１１から離れるにつれて内径が増加するコーン部１６と、を有し、複数のＬＥＤパッケージ１２２は、実装基板１２１の略中央に配置される中央部ＬＥＤパッケージと、実装基板の周辺に配置される周辺部ＬＥＤパッケージとに区分けされており、周辺部ＬＥＤパッケージと組み合わせられる反射板は、開口縁の形状が、実装基板の中心部に近い側ではＬＥＤパッケージに近く、実装基板の中心部に遠い側ではＬＥＤパッケージに遠くなるように形成されている。
【００１０】
筐体１１は、ＬＥＤユニット１２が発する熱を外部に放出する放熱部材を兼ねるために、放熱性に優れたアルミダイカスト等により略円筒状に形成され、天井に窄設された埋込穴の縁部に係止するための枠を兼ねたコーン部１６が下端部で一体化された構成である。また、筐体１１の内部には、ＬＥＤユニット１２をドライブするための電源ユニット１５が収納されている。なお、電源ユニット１５は、筐体１１の外部に設置される構成であってもよい。
【００１１】
ＬＥＤユニット１２は、略円板状に形成された基板１２１上の導体パターン(図示せず)が形成された表面に、ＬＥＤパッケージ１２２として、高輝度ＬＥＤ素子が、例えばフリップチップ実装により配設される。そして実装基板１２１は、複数のＬＥＤパッケージ１２２が実装されていない裏面を筐体１１の下面に面接触させて設置される。なお、ＬＥＤユニット１２は、熱抵抗を下げる目的で放熱シートを介して筐体１１の下面に取りつけられる場合もある。
【００１２】
前面パネル１３は、透光性及び絶縁性を有するアクリル樹脂やポリカーボネート樹脂で略円板状に形成されている。
【００１３】
また、前面パネル１３は、ＬＥＤ素子１２２の表面に塵埃が付着することを防止すると共に、ＬＥＤ素子１２２を静電気から保護する機能を有するものである。
【００１４】
反射板１４は、例えばＰＢＴ（ポリブチレンテレフタレート）樹脂の押出成型によって略円盤状に形成され、図３乃至６に示すように、基板１２１に実装されたＬＥＤ素子１２２に対応する位置に、小径開口１４１と、大径開口１４２が設けられ、その間が椀状に形成される。なおこの反射板１４の筐体への装着は周囲に配置されたねじ穴を用いて本体に装着される。図３は要部破断断面図、図４は要部説明斜視図、図５は、実施の形態１の照明器具を示す要部断面図である。
【００１５】
なお、反射板１４の小径開口１４１が奥まっているのは、意匠性を向上させるためであって、通常は目立たない色、例えば天井の色に近似した白色や黒色が用いられる。また、天井面の輝度を抑制したい場合は、黒色若しくは銀面仕上げとして、光の反射や拡散を抑えるようにする。本実施の形態では、枠を兼ねたコーン部１６がその機能の一部を担っている。更に、製品によっては、小径開口１４１を大きく形成することで、大径開口１４２を有しない場合もある。
【００１６】
図１において、本実施の形態のＬＥＤ照明器具１が点灯すると、図３乃至図５に示すように、ＬＥＤ素子１２２からの放射光が前面パネル１３を通過し、その大部分は直接に、他は反射板１４の小径開口１４１から大径開口１４２に向かう領域で反射して、それぞれ鉛直下方に放射される。
【００１７】
以上説明したように、このような本発明の実施の形態１に係るＬＥＤ照明器具によれば、周辺部ＬＥＤパッケージと組み合わせられる反射板は、開口縁の形状が、実装基板の中心部に近い側１４ｃではＬＥＤパッケージに近く、実装基板の中心部に遠い側１４ｓではＬＥＤパッケージに遠くなるように形成されているので、反射板の開口縁の形状がすべて円であるものに比べ、周辺部では反射板の開口縁の間隔が広がりすぎることがなく、コーン部を設けたときに明暗のコントラストが付きにくく、むらを低減することができる。
【００１８】
なお、前記実施の形態１では、１２個のＬＥＤ素子を配列した構成について説明したが、個数については限定されるものではなく、複数のＬＥＤ素子を有する照明器具にも適用可能であることはいうまでもない。
【００１９】
（実施の形態２）
図６および７は、本発明の実施の形態２に係るＬＥＤ照明器具の概略構成を示す要部断面説明図および要部断面図である。なお、実施の形態１において示した構成については、同一符号を付して説明を簡略に、若しくは省略する。
【００２０】
図７に、本実施の形態のＬＥＤ照明器具２の反射板の要部拡大断面図を示す。図６にθで示す範囲はＬＥＤからの直接光が放射されるエリアで、もっとも光量が多いゾーンである。このθエリアがコーンエリアにかぶらないように構成することで、コーン部に到達する光量は少なくなり更に光の強弱（むら）がコーン部で認識しにくくなる。
また、反射板をアルミ蒸着などで鏡面化し、拡散反射を減らして正反射成分を増やすことで更に反射板による反射光もコーン部にあたりにくくなり、更に効果が増大し、照度むらを低減することができる。
他は実施の形態１と同様である。
【００２１】
このように周辺部ＬＥＤパッケージの中心と、組み合わせられた反射板の開口縁を結ぶ線分がコーン部と交差しないので、周辺部ＬＥＤパッケージからの光がコーン部に遮られることがなく、出力効率が向上する。
【００２２】
ここで、このように構成される反射板１４の製造方法について説明する。
【００２３】
まず、小径開口（透光部）１４１と大径開口１４２を含む全体を、アクリル樹脂やポリカーボネート樹脂等の透光性樹脂を用いて一体成型する。
【００２４】
次いで、透光部である小径開口１４１に相当する部分をマスキングしてから、全面をアルミニウム等反射率の高い金属で蒸着するか、若しくは白色塗装を施し、その後マスキングを除去する。
【００２５】
なお、反射板１４の製造は、上記の方法に限定されるものではなく、例えば、実施の形態１における反射板１４を反射率の高いチタン等の白色金属を含有した樹脂を用いて製作し、その小径開口１４１に、予めアクリル樹脂の成型によって製作した透光部をインサート成型により一体化させるものであってもよい。
【００２６】
また、別の製造方法として、インサート成型によらず、実施の形態１における反射板１４に、予めアクリル樹脂の成型で製作した透光部を小径開口１４１に嵌合して接着するか、あるいは圧入により一体化させるようにしたものでもよい。
反射板の形状についても適宜選択可能である。
【００２７】
なお、前記実施の形態１および２では、コーン部１６を有する照明器具について説明したが、これに限定されることなくコーン部１６に代えて、照明器具の開口部に円筒状の枠部を設けたものについても有効である。
【符号の説明】
【００２８】
１  ＬＥＤ照明器具
１１  筐体
１２  ＬＥＤユニット
１２１  基板
１２２  ＬＥＤパッケージ
１３  前面パネル
１４  反射板
１４ｃ  実装基板の中心部に近い側（の反射板）
１４ｓ  実装基板の中心部に遠い側（の反射板）
１４１  小径開口
１４２  大径開口
１４３  反射面
１４４  連接面部
１４５  孔部
１５  電源ユニット
１６  コーン部  
【図１】
2011171236.tif 000003
【図２】
2011171236.tif 000004
【図３】
2011171236.tif 000005
【図４】
2011171236.tif 000006
【図５】
2011171236.tif 000007
【図６】
2011171236.tif 000008
【図７】
2011171236.tif 000009